(57)【特許請求の範囲】
【請求項１】
電子部品本体と、
該電子部品本体を収容する筐体と、
該筐体内で前記電子部品本体と共に収容され、該電子部品本体と電気的に接続された雌型の接続端子と、
を備え、
前記筐体は、電線が接続されており且つ前記接続端子に接続される雄型の相手側接続端子の前記筐体内への挿入口を有し、
前記接続端子及び前記相手側接続端子の接続部位と重心との距離が短くなるように、前記接続部位を前記電子部品本体の近くに配置し、
前記接続部位と前記重心との距離は、振動が加えられたときの前記接続端子と前記相手側接続端子との間の接続状態を維持しやすくする短さとすることを特徴とした電子部品。
【請求項２】
前記接続端子を複数備え、
前記筐体の内部にて、電源側の前記接続端子と電子機器側の前記接続端子との間に隙間を設け、前記隙間に前記重心が来るよう前記電子部品本体を配置することを特徴とした請求項１に記載の電子部品。
【請求項３】
前記筐体の内部は、前記電子部品本体と前記接続端子とを収容する１つの収容空間であることを特徴とした請求項１又は２に記載の電子部品。
【請求項４】
前記筐体の内部は、前記電子部品本体の収容空間と前記接続端子の収容空間とを有し、該それぞれの収容空間を前記筐体内で連通させることを特徴とした請求項１又は２に記載の電子部品。
【請求項５】
前記筐体と当該筐体を収容する電子部品収容室との間に、前記筐体を前記電子部品収容室に係止して、該筐体の当該電子部品収容室内での収容状態を保持する係止機構を設け、
前記係止機構は、前記筐体の外壁面に設けた係止部と、前記電子部品収容室における前記筐体の前記外壁面と対向する位置に設けられ、前記収容状態で前記係止部に係止されることによって当該収容状態を保持する相手側係止部と、を備えることを特徴とした請求項１，２，３又は４に記載の電子部品。
【請求項６】
電子部品本体、該電子部品本体を収容する筐体、及び、該筐体内で前記電子部品本体と共に収容され、該電子部品本体と電気的に接続された雌型の接続端子を備えた電子部品と、
前記電子部品を収容する電子部品収容室と、
前記電子部品の前記筐体と前記電子部品収容室との間に、前記筐体を前記電子部品収容室に係止して、該筐体の当該電子部品収容室内での収容状態を保持する係止機構と、
を備え、
前記筐体は、電線が接続されており且つ前記接続端子に接続される雄型の相手側接続端子の前記筐体内への挿入口を有し、
前記接続端子及び前記相手側接続端子の接続部位と重心との距離が短くなるように、前記接続部位を前記電子部品本体の近くに配置し、
前記接続部位と前記重心との距離は、振動が加えられたときの前記接続端子と前記相手側接続端子との間の接続状態を維持しやすくする短さとし、
前記電子部品収容室は、前記挿入口に連通させた空間であり、
前記係止機構は、前記筐体の外壁面に設けた係止部と、前記電子部品収容室における前記筐体の前記外壁面と対向する位置に設けられ、前記収容状態で前記係止部に係止されることによって当該収容状態を保持する相手側係止部と、を備えることを特徴とした電気接続箱。
【発明の詳細な説明】
【技術分野】
【０００１】
本発明は、電子部品及び電気接続箱に関する。
【背景技術】
【０００２】
従来、リレーやヒューズ等の電子部品は、電子部品本体と、電子部品本体を収容する筐体と、電子部品本体と電気的に接続された接続端子と、を備える。この種の電子部品において、接続端子は、雄型に成形され、筐体の内方から外方に露出させている。この電子部品は、その外部に露出している接続端子を相手側接続端子に接続する。この電子部品は、例えば、自動車等の車両において、電源からの供給電力の分配等を行う電気接続箱に組み込まれる。電気接続箱は、例えば、相手側接続端子と、相手側接続端子を収容するフレームやブロック等の端子収容部材と、電子部品と共に端子収容部材を収容する筐体と、を備える。下記の特許文献１−３には、接続端子を筐体外に露出させたリレーが開示されている。また、下記の特許文献４及び５には、接続端子を筐体外に露出させたスイッチが開示されている。
【先行技術文献】
【特許文献】
【０００３】
【特許文献１】特開２０１３−５９１３７号公報
【特許文献２】特開平５−１６８１２４号公報
【特許文献３】特開２００９−２６１１９号公報
【特許文献４】特開平８−３１２５８号公報
【特許文献５】実開昭６３−７７２２５号公報
【特許文献６】特開平７−２９６６６７号公報
【特許文献７】特開平５−７４２６５号公報
【特許文献８】特開平８−３６９３６号公報
【特許文献９】特開平４−３５７６３１号公報
【特許文献１０】特開平３−２２３１７号公報
【発明の概要】
【発明が解決しようとする課題】
【０００４】
ところで、電子部品は、接続端子を外部に露出させている場合、この接続端子の接続対象となる相手側接続端子を収容している端子収容部材によって保持される。具体的には、接続端子と相手側接続端子との間に接触圧が作用しており、この接触圧によって電子部品が端子収容部材に保持されている。ここで、電子部品は、その接続端子が自らの相手側接続端子への接続方向に向けて筐体よりも突出している場合、重心位置から離れている端子間の接点において保持されることになる。このため、この電子部品は、その接点を支点とする振動について、端子間の接触圧を高めることで抑える必要がある。しかしながら、その接触圧を高めるためには、相手側接続端子の形状等の諸元だけでなく、端子収容部材の端子収容室の形状等の諸元をも調整しなければならず、原価の増加を招いてしまう虞がある。
【０００５】
そこで、本発明は、電子部品の耐振動性を低コストで実現させることが可能な電子部品及び電気接続箱を提供することを、その目的とする。
【０００６】
尚、上記の特許文献６には、外部に端子を露出させているスイッチが開示されている。また、特許文献７−９には、筐体内に端子を収容したスイッチが開示されている。しかしながら、これらの端子は、スイッチとは別構成の相手側の端子に接続されるものではない。また、特許文献１０には、回路遮断器の端子台であって、室内に端子が収容されたものが開示されている。
【課題を解決するための手段】
【０００７】
上記目的を達成する為、本発明に係る電子部品は、電子部品本体と、該電子部品本体を収容する筐体と、該筐体内で前記電子部品本体と共に収容され、該電子部品本体と電気的に接続された雌型の接続端子と、を備え、前記筐体は、電線が接続されており且つ前記接続端子に接続される雄型の相手側接続端子の前記筐体内への挿入口を有し、前記接続端子及び前記相手側接続端子の接続部位と重心との距離が短くなるように、前記接続部位を前記電子部品本体の近くに配置し、前記接続部位と前記重心との距離は、振動が加えられたときの前記接続端子と前記相手側接続端子との間の接続状態を維持しやすくする短さとすることを特徴としている。この電子部品においては、前記接続端子を複数備え、前記筐体の内部にて、電源側の前記接続端子と電子機器側の前記接続端子との間に隙間を設け、前記隙間に前記重心が来るよう前記電子部品本体を配置することが望ましい。
【０００８】
ここで、前記筐体の内部は、前記電子部品本体と前記接続端子とを収容する１つの収容空間であることが望ましい。
【０００９】
また、前記筐体の内部は、前記電子部品本体の収容空間と前記接続端子の収容空間とを有し、該それぞれの収容空間を前記筐体内で連通させることが望ましい。
【００１０】
また、前記筐体と当該筐体を収容する電子部品収容室との間に、前記筐体を前記電子部品収容室に係止して、該筐体の当該電子部品収容室内での収容状態を保持する係止機構を設け、前記係止機構は、前記筐体の外壁面に設けた係止部と、前記電子部品収容室における前記筐体の前記外壁面と対向する位置に設けられ、前記収容状態で前記係止部に係止されることによって当該収容状態を保持する相手側係止部と、を備えることが望ましい。
【００１１】
また、上記目的を達成する為、本発明に係る電気接続箱は、電子部品本体、該電子部品本体を収容する筐体、及び、該筐体内で前記電子部品本体と共に収容され、該電子部品本体と電気的に接続された雌型の接続端子を備えた電子部品と、前記電子部品を収容する電子部品収容室と、前記電子部品の前記筐体と前記電子部品収容室との間に、前記筐体を前記電子部品収容室に係止して、該筐体の当該電子部品収容室内での収容状態を保持する係止機構と、を備え、前記筐体は、電線が接続されており且つ前記接続端子に接続される雄型の相手側接続端子の前記筐体内への挿入口を有し、前記接続端子及び前記相手側接続端子の接続部位と重心との距離が短くなるように、前記接続部位を前記電子部品本体の近くに配置し、前記接続部位と前記重心との距離は、振動が加えられたときの前記接続端子と前記相手側接続端子との間の接続状態を維持しやすくする短さとし、前記電子部品収容室は、前記挿入口に連通させた空間であり、前記係止機構は、前記筐体の外壁面に設けた係止部と、前記電子部品収容室における前記筐体の前記外壁面と対向する位置に設けられ、前記収容状態で前記係止部に係止されることによって当該収容状態を保持する相手側係止部と、を備えることを特徴としている。
【発明の効果】
【００１２】
本発明に係る電子部品及び電気接続箱は、電子部品の内部に接続端子を設けているので、電子部品と電気接続箱との間に無用な中継部材を配置する必要が無く、低コストで耐振動性を高めることができる。
【図面の簡単な説明】
【００１３】
【図１】図１は、実施形態の電子部品を示す側面図であって、相手側端子との接続前の状態を示した図である。
【図２】図２は、実施形態の電子部品を示す底面図である。
【図３】図３は、実施形態の電子部品を示す側面図であって、相手側端子との接続後の状態を示した図である。
【図４】図４は、実施形態の電子部品と電気接続箱とを示す斜視図であって、これらの接続前の状態を示した図である。
【発明を実施するための形態】
【００１４】
以下に、本発明に係る電子部品及び電気接続箱の実施形態を図面に基づいて詳細に説明する。尚、この実施形態によりこの発明が限定されるものではない。
【００１５】
［実施形態］
本発明に係る電子部品及び電気接続箱の実施形態の１つを図１から図４に基づいて説明する。
【００１６】
本発明に係る電子部品とは、リレーやヒューズ等のことであり、電子部品本体（リレー本体やヒューズ本体）と、この電子部品本体に対して電気的に接続された電気接続部としての接続端子と、を備えたものである。この電子部品は、自動車等の車両に搭載される場合、例えば、電源（二次電池）と電子機器との間に介在させた電気接続箱に組み込まれ、その電源から電子機器への供給電力を調整する。
【００１７】
また、本発明に係る電気接続箱とは、電子部品の収容室（以下、「電子部品収容室」という。）を少なくとも１つ備えると共に、その電子部品の接続端子と電気的に接続される相手側接続端子と、この相手側接続端子と電気的に接続されると共に外部に引き出された電線又はワイヤハーネスと、を備えたものである。この電気接続箱は、箱体そのものに電子部品収容室が形成されたものであってもよく、電子部品収容室が形成された収容部材を枠体（フレーム）に取り付けたものであってもよい。尚、この電気接続箱は、リレーボックス、ヒューズボックス、ジャンクションボックス等と称される場合もある。
【００１８】
図１の符号１は、本実施形態の電子部品を示す。尚、ここでは、電子部品１としてリレーを例示する。
【００１９】
この電子部品１は、電子部品本体１０と、この電子部品本体１０を収容する筐体２０と、この筐体２０内で電子部品本体１０と共に収容され、その電子部品本体１０と電気的に接続された接続端子３０と、を備える。
【００２０】
ここで例示する電子部品本体１０は、リレー本体であり、コイル等の各種の部品によって構成されている。尚、図中の電子部品本体１０は、図示の便宜上、箱状のものとして示している。
【００２１】
筐体２０は、例えば、ケース部材２１と、このケース部材２１の開口を塞ぐ蓋部材２２と、を有するものであり、これらを嵌合させることによって構成する。ケース部材２１は、矩形の枠体を成す４つの矩形の壁部２１ａ−２１ｄ（図２）と、この４つの壁部２１ａ−２１ｄによって形成される２つの矩形の開口の内の一方を塞ぐ矩形の壁部２１ｅと、を有するものである。この例示のケース部材２１は、これらの壁部２１ａ−２１ｅを有するものとして一体成形されている。蓋部材２２は、その２つの矩形の開口の内の他方を塞ぐものであり、その開口に合わせた矩形に成形されている。
【００２２】
ここで、筐体２０（ケース部材２１）の内部には、電子部品本体１０と共に接続端子３０も収容される。このために、ケース部材２１の内部は、電子部品本体１０と接続端子３０とが収容される１つの共通の収容空間として形成すればよい。また、このケース部材２１の内部は、間仕切り等の壁部などで電子部品本体１０の収容空間と接続端子３０の収容空間とを設け、それぞれの収容空間をケース部材２１の内部で連通させるように形成してもよい。
【００２３】
接続端子３０は、電子部品本体１０と電気的に接続されている金属製のバスバーの一部として構成されたものである。この接続端子３０は、相手側接続端子４０と電気的に接続される。この接続端子３０と相手側接続端子４０は、一方が雄型に成形され、他方が雌型に成形される。この例示では、接続端子３０を雌型に成形し、相手側接続端子４０を雄型に成形している。尚、相手側接続端子４０には、電気的に接続された電線４１が繋がっている。
【００２４】
前述したように、接続端子３０は、筐体２０の内部に収容されている。そして、相手側接続端子４０は、その接続端子３０に接続するために、筐体２０の内部に挿入する必要がある。そこで、筐体２０には、相手側接続端子４０の筐体２０の内部への挿入口２３が設けられている。相手側接続端子４０は、その挿入口２３から筐体２０の内部に挿入され、この内部にて接続端子３０に接続される（図３）。
【００２５】
ここで、この電子部品１において、接続端子３０と相手側接続端子４０の接続時における挿入方向は、ケース部材２１の４つの壁部２１ａ−２１ｄの内の直交する２つで共通する平行な方向に一致させる。このため、蓋部材２２には、挿入口２３としての貫通孔（筐体２０の内外を連通させる貫通孔）を形成する。尚、この挿入口２３は、筐体２０の内部に電子部品本体１０の収容空間と接続端子３０の収容空間とが形成されている場合、接続端子３０の収容空間に連通させる。
【００２６】
具体的に、この例示の電子部品１においては、電源（図示略）に接続される３つの接続端子３０Ａ，３０Ｂ，３０Ｃと、電子機器（図示略）に接続される１つの接続端子３０Ｄと、が設けられている（図２）。ここでは、接続端子３０Ａ，３０Ｂ，３０Ｃをケース部材２１の壁部２１ａに近づけて配置し、接続端子３０Ｄをケース部材２１の壁部２１ｂに近づけて配置する。そして、相手側接続端子４０は、その４つの接続端子３０Ａ−３０Ｄの配置に各々合わせて４つ設けている（相手側接続端子４０Ａ，４０Ｂ，４０Ｃ，４０Ｄ）。この相手側接続端子４０には、それぞれに４本の電線４１Ａ，４１Ｂ，４１Ｃ，４１Ｄが接続される。更に、筐体２０においては、その４つの接続端子３０Ａ−３０Ｄの配置に各々合わせて４つの挿入口２３Ａ，２３Ｂ，２３Ｃ，２３Ｄが設けられている。
【００２７】
ここで、この電子部品１においては、接続端子３０と相手側接続端子４０との接続部位が電子部品本体１０の近くに配置されるように構成してもよい。つまり、この電子部品１においては、重心と端子間の接続部位との距離が短くなるように、その接続部位を電子部品本体１０に近づけてもよい。例えば、筐体２０の内部においては、電源側の接続端子３０Ａ，３０Ｂ，３０Ｃと電子機器側の接続端子３０Ｄとの間に隙間を設け、この隙間に重心が来るよう電子部品本体１０を配置する。例えば、電子部品本体１０においては、その隙間に重量物たるコイル（図示略）を配置する。このため、この電子部品１は、重心の近くに接続端子３０と相手側接続端子４０との接続部位が存在することになるので、振動が加えられたときの端子間の接続状態を維持しやすくなる。
【００２８】
この電子部品１は、例えば、図４に示す電気接続箱５０に取り付けられる。この電気接続箱５０は、電子部品１を１つ又は複数取り付けることができるものである。図４では、説明の便宜上、例えば、取り付けられた電子部品１を覆うカバー部材等の図示を省略している。
【００２９】
この電気接続箱５０は、電子部品１が取り付けられる箱体５１を有する。この箱体５１には、電子部品１の挿入口５２と、この挿入口５２に連通させた空間であり、電子部品１を収容する電子部品収容室５３と、が形成されている。電子部品１は、その挿入口５２から挿入されて、電子部品収容室５３に収容される。その電子部品収容室５３は、筐体２０ごと電子部品１を全て収容するものであってもよく、筐体２０の一部分が電子部品収容室５３から突出しているような形態で電子部品１を収容するものであってもよい。
【００３０】
ここで、例えば、電子部品収容室５３が挿入口５２の逆側に当該挿入口５２と対向する開口（図示略）を有している場合には、電子部品収容室５３に収容された電子部品１の接続端子３０に対して、その開口から挿入された相手側接続端子４０が接続される。その開口からは、相手側接続端子４０に対して電気的に接続された電線４１又はワイヤハーネス（図示略）が箱体５１（電気接続箱５０）の外部に引き出される。また、電子部品１には、相手側接続端子４０や電線４１等が予め接続されている場合もある。この場合には、その電子部品１等からなる接続体を挿入口５２又は上記の開口から挿入して、その開口から電線４１等を外部に引き出した状態にする。
【００３１】
また、電気接続箱５０においては、相手側接続端子４０が予め電子部品収容室５３に配置されているものもある。この場合、接続端子３０と相手側接続端子４０との間においては、電子部品収容室５３への電子部品１の収容と共に、相手側接続端子４０が挿入口２３から入り込んで接続端子３０に接続される。その相手側接続端子４０に繋がれている電線４１等は、箱体５１における電子部品収容室５３とは反対側から当該箱体５１（電気接続箱５０）の外部に引き出されている。
【００３２】
この例示の電子部品１は、電子部品収容室５３への収容後に当該電子部品収容室５３に係止され、この電子部品収容室５３内での収容状態が保持されるように構成する。このために、電子部品１（筐体２０）と電子部品収容室５３との間には、その筐体２０を電子部品収容室５３に係止して、この筐体２０の電子部品収容室５３内での収容状態を保持する係止機構を設ける。その係止機構は、筐体２０の外壁面に設けた係止部２４と、電子部品収容室５３における筐体２０の前記外壁面と対向する位置に設けられ、上記の収容状態で係止部２４に係止されることによって当該収容状態を保持する相手側係止部５４と、を備える。
【００３３】
係止部２４と相手側係止部５４は、例えば、その内の一方を突出部として形成し、他方を当該突出部の挿入に伴い当該突出部が係止される孔部、凹部又は切欠き部として形成する。例えば、その係止部２４は、筐体２０の外壁面に少なくとも１つ設ける。また、相手側係止部５４は、電子部品収容室５３で筐体２０の外壁面に沿うよう立設させた板状の片部５５に形成する。この相手側係止部５４は、係止部２４と対向する位置に同じ数を形成する。
【００３４】
この例示では、互いに対向している壁部２１ａと壁部２１ｂとに係止部２４を設ける。そして、相手側係止部５４は、平面が壁部２１ａに対向する片部５５Ａと、平面が壁部２１ｂに対向する片部５５Ｂと、に形成する。この例示では、係止部２４を突出部として形成し、相手側係止部５４を方形又は矩形の孔部として形成する。尚、片部５５Ａ側の相手側係止部５４については、図示を省略している。
【００３５】
片部５５Ａ，５５Ｂは、電子部品１の電子部品収容室５３への収容と共に、係止部２４によって押動されて傾倒し、係止部２４が相手側係止部５４への挿入されたときに元の位置に戻る。
【００３６】
係止部２４は、電子部品１の電子部品収容室５３への挿入方向における後端部分を相手側係止部５４との係止面２４ａとして利用する。その係止面２４ａは、その挿入方向に対して直交する平面を有しており、係止部２４が相手側係止部５４へと挿入された際に当該相手側係止部５４の係止面５４ａと対向する。このため、係止部２４は、電子部品１に電子部品収容室５３からの脱落方向への力が作用したとしても、その相手側係止部５４で係止される。よって、この係止部２４と相手側係止部５４は、電子部品１の電子部品収容室５３に対する収容状態のずれを抑え、その収容状態を保持することができる。従って、この係止部２４と相手側係止部は、電子部品１の接続端子３０と電子部品収容室５３の相手側接続端子４０との電気的な接続状態を保つことができる。
【００３７】
ここで、その係止機構（係止部２４と相手側係止部５４）は、電子部品１の重心に近づけて配置することが望ましい。つまり、この電子部品１と電気接続箱５０においては、係止部２４と相手側係止部５４の係止部位と電子部品１の重心との距離が最短になるように構成することが望ましい。このため、この電子部品１と電気接続箱５０は、更に耐振動性を高めることができる。
【００３８】
以上示したように、本実施形態の電子部品１と電気接続箱５０は、電子部品１の内部に接続端子３０を設けているので、低コストで耐振動性を高めることができる。特に、この電子部品１と電気接続箱５０は、電子部品１の重心に近い位置で端子間を接続し、かつ、電子部品１を電子部品収容室５３に係止するので、低コストで耐振動性を更に向上させることができる。更に、この電子部品１と電気接続箱５０は、そのような電子部品１の重心に近い位置で端子間を接続しているので、従来よりも端子間の接触圧を低下させることができる。
【符号の説明】
【００３９】
１  電子部品
１０  電子部品本体
２０  筐体
２３，２３Ａ，２３Ｂ，２３Ｃ，２３Ｄ  挿入口
２４  突出部
３０，３０Ａ，３０Ｂ，３０Ｃ，３０Ｄ  接続端子
４０，４０Ａ，４０Ｂ，４０Ｃ，４０Ｄ  相手側接続端子
４１，４１Ａ，４１Ｂ，４１Ｃ，４１Ｄ  電線
５０  電気接続箱
５２  挿入口
５３  電子部品収容室
５４  係止部
【図１】
0006595757.tif 000002
【図２】
0006595757.tif 000003
【図３】
0006595757.tif 000004
【図４】
0006595757.tif 000005